(57)【要約】【課題】扉の開放操作方法、特に扉の押して開ける側での操作構造を改善し、開放する扉による事故を未然に防ぐことを可能とする。【解決手段】扉面１ｄに配設され、腕部１６を備えるとともに、扉面１ｄに沿って延出する把持部１３を備えたレバーハンドル１０と、レバーハンドル１０の裏面に配設され、レバーハンドル１０の裏面に近接する厚み方向に移動自在な操作片２８と、レバーハンドル１０の腕部１６に対して揺動自在に設けられ、係合杆５を備える錠機構部４内に延出し、錠機構部４に開放操作の出力を行う作動片３３と、操作片２８と作動片３３とにわたって配設され、操作片２８の移動に連動し、作動片３３を揺動させる連動部３７とを具備する。【選択図】　　　　図２
2004107892.tif 000002
【特許請求の範囲】
【請求項１】
進退自在な係合杆による係合にて閉鎖状態を維持される開閉自在な扉であって、該扉の扉面に配設される把手にて該扉の開放が行われる扉の構造において、
前記扉面に配設され、該扉面に対し延出する腕部を備えるとともに、該腕部に対し、前記扉面に沿う所定方向に延出する把持部を備えた把手と、
該把手の前記扉面に対向する裏面に配設され、先端が前記把手の把持部近傍に位置し、該先端が前記把手の裏面に近接する厚み方向に移動自在な操作片と、
前記把手の腕部に設けられるとともに、該腕部に対して揺動自在に設けられ、前記係合杆を備える錠機構部内に延出し、該錠機構部に開放操作の出力を行う作動片と、
前記操作片と前記作動片とにわたって配設され、前記操作片の移動に連動し、前記作動片を揺動させる連動部と、
を具備することを特徴とする扉の構造。
【請求項２】
進退自在な係合杆による係合にて閉鎖状態を維持され、押す方向が開放方向となる扉であって、該扉の押される面に配設される把手にて該扉の開放が行われる扉の構造において、
前記扉面に配設され、該扉面に対し延出する腕部を備えるとともに、該腕部に対し、前記扉面に沿う所定方向に延出する把持部を備えた把手と、
該把手の前記扉面に対向する裏面に配設され、先端が前記把手の把持部近傍に位置し、該先端が前記把手の裏面に近接する厚み方向に移動自在な操作片と、
前記把手の腕部に設けられるとともに、該腕部に対して揺動自在に設けられ、前記係合杆を備える錠機構部内に延出し、該錠機構部に開放操作の出力を行う作動片と、
前記操作片と前記作動片とにわたって配設され、前記操作片の移動に連動し、前記作動片を揺動させる連動部と、
を具備することを特徴とする扉の構造。
【請求項３】
前記把手は、略板状に形成されることを特徴とする請求項１または２記載の扉の構造。
【請求項４】
前記腕部は、貫通した空間部を備えた略筒状に形成され、該空間部内に前記連動部が軸線方向に配設されることを特徴とする請求項１または２または３記載の扉の構造。
【請求項５】
前記操作片には、前記把手の裏面から離脱する方向に付勢する付勢部材が備えられることを特徴とする請求項１，２，３，４のいずれか１つに記載の扉の構造。
【発明の詳細な説明】
【０００１】
【発明の属する技術分野】
本発明は、建物などに付設される扉に設けられ、この扉の開閉を行う操作部分を改良した扉の構造に関するものである。
【０００２】
【従来の技術】
建物の開口部などに設けられる扉には、その開閉を行うためにノブやレバーハンドルが設けられる。これらノブやハンドルは、扉における戸先側の両面に配設され、この戸先側に内蔵される錠機構部を構成するラッチボルトの木口に対する進退を行う。
【０００３】
ノブの場合、これを掴み持ち、回転させることでラッチボルトを木口より後退させ建物枠側のストライクから退かせ係合状態を解き、そして、ノブを掴み持った状態で扉に対して押す、或いは引く、という操作にて扉の開放を行う。
また、ハンドルの場合では、ハンドルを掴み持ち、扉面に対し、この扉面と平行な方向に所定角度揺動させることで、すなわち扉面に植設状態の軸部の回転にて、ラッチボルトの後退が行われ、そして、ハンドルを掴み持った状態で扉を押す、或いは引くことで扉の開放が行われる。
【０００４】
そして、これらノブやハンドルに対する人の操作において、扉を押して開く場合に、ノブの場合は、掴み持ち回転させたノブ自体を押す方向に操作することで行い、また、ハンドルの場合も、掴み持ち揺動させたハンドル自体を押す方向に操作することで行う。
【０００５】
ところが、これらノブやハンドルの場合に、扉を開放する「押す」という操作を行う以前に、「掴み持つ」という操作と、「回転」或いは「揺動」という操作が必要なことから、障害者や高齢者など手が不自由である場合に、扉の開放操作を行いにくいことがある。
【０００６】
このような不具合に対し、扉の開放方向と同方向に操作を行うことでラッチボルトを後退させる機構となるハンドル構造、所謂プッシュプル錠が下記特許文献１等にある。
このプッシュプル錠は、扉を開放する「押す」「引く」という操作方向と同方向に揺動するハンドルで構成され、押すことで開放する扉の一方の面には扉面に対して近接する方向に揺動するハンドルが設けられ、また、引くことで開放する扉の他方の面には扉面に対して離間する方向に揺動するハンドルが設けられており、これらハンドルの揺動、すなわち、「押す」或いは「引く」という操作にてラッチボルトが後退し、扉の開放が行える構造となっている。
【０００７】
【特許文献１】
実用新案登録第２５２９２６３号公報
【０００８】
【発明が解決しようとする課題】
しかしながら、上述した従来のプッシュプル錠を備えた扉では、扉の開閉動作が急激に行われないように制御するドアクローザーが設けられていない場合や、室内扉など扉自体が軽量に構成されている場合に、その扉の開放操作を行う際に、特に扉を押して開放する側では、開放操作を行う者が、扉とともに開放方向に勢いがつき、操作方向である前方に倒れ込んでしまったり、また、扉を勢いよく開けてしまうことで扉の向こう側にいる人に扉を衝突させてしまうことがあり、非常に危険であるという問題があった。
【０００９】
そこで本発明は、上記問題点を解消するために、扉の開放操作方法、特に扉の押して開ける側での操作構造を改善し、開放する扉による事故を未然に防ぐことを可能とする扉の構造を提供することを目的としている。
【００１０】
【課題を解決するための手段】
次に、上記の課題を解決するための手段を、実施の形態に対応する図面を参照して説明する。
この発明の請求項１記載の扉の構造は、進退自在な係合杆５による係合にて閉鎖状態を維持される開閉自在な扉１であって、該扉１の扉面１ｄに配設される把手にて該扉１の開放が行われる扉の構造において、
前記扉面１ｄに配設され、該扉面１ｄに対し延出する腕部１６を備えるとともに、該腕部１６に対し、前記扉面１ｄに沿う所定方向に延出する把持部１３を備えた把手１０と、
該把手１０の前記扉面１ｄに対向する裏面に配設され、先端が前記把手１０の把持部１３近傍に位置し、該先端が前記把手１０の裏面に近接する厚み方向に移動自在な操作片２８と、
前記把手１０の腕部１６に設けられるとともに、該腕部１６に対して揺動自在に設けられ、前記係合杆５を備える錠機構部４内に延出し、該錠機構部４に開放操作の出力を行う作動片３３と、
前記操作片２８と前記作動片３３とにわたって配設され、前記操作片２８の移動に連動し、前記作動片３３を揺動させる連動部３７と、
を具備することを特徴とする。
【００１１】
このような扉の構造によれば、開閉自在な扉１に対する開放操作において、その操作を行うための把手１０に、操作片２８を設け、この操作片２８とともに把手１０を握持することで開放操作とされる。この操作片２８の操作により、連動部３７を介して作動片３３が錠機構部４内に直接操作力を伝えることとなり、すなわち、扉１に対する把手１０による開放操作に、操作片２８を掴み持つ前段操作を必要とすることから、開放方向への扉１の急激な開放が抑止される。
【００１２】
請求項２記載の扉の構造は、進退自在な係合杆５による係合にて閉鎖状態を維持され、押す方向が開放方向となる扉１であって、該扉１の押される面１ｄに配設される把手にて該扉１の開放が行われる扉の構造において、
前記扉面１ｄに配設され、該扉面１ｄに対し延出する腕部１６を備えるとともに、該腕部１６に対し、前記扉面１ｄに沿う所定方向に延出する把持部１３を備えた把手１０と、
該把手１０の前記扉面１ｄに対向する裏面に配設され、先端が前記把手１０の把持部１３近傍に位置し、該先端が前記把手１０の裏面に近接する厚み方向に移動自在な操作片２８と、
前記把手１０の腕部１６に設けられるとともに、該腕部１６に対して揺動自在に設けられ、前記係合杆５を備える錠機構部４内に延出し、該錠機構部４に開放操作の出力を行う作動片３３と、
前記操作片２８と前記作動片３３とにわたって配設され、前記操作片２８の移動に連動し、前記作動片３３を揺動させる連動部３７と、
を具備することを特徴とする。
【００１３】
このような扉の構造によれば、押すことで開放する扉１に対する開放操作において、その操作を行うための把手１０に、操作片２８を設け、この操作片２８とともに把手１０を握持することで開放の操作とされる。この操作片２８の操作により、連動部３７を介して作動片３３が錠機構部４内に直接操作力を伝えることとなり、すなわち、扉１に対する「押す」という開放操作に、操作片２８を「掴み持つ」という前段操作を必要とすることから、開放方向への扉１の急激な開放が抑止され、扉１の向こう側にいる人に扉１を衝突させるような事故等、扉１を勢いよく開放してしまうことで発生する事故を未然に防ぐことが可能となる。
【００１４】
請求項３記載の扉の構造は、前記把手１０は、略板状に形成されることを特徴とする。
【００１５】
このような扉の構造によれば、把手１０の形状を略板状としたので、例えば押す方向が開放方向となる扉１である場合などでは、把手１０の正面側から面を押圧することが可能となり、扉１の開放を行いやすくすることができ、また、操作片２８とともに掴み持つ際に、板状の縁部分を掴むこととなり、把手１０として掴む操作に操作片２８の操作が違和感なく行われることとなる。
【００１６】
請求項４記載の扉の構造は、前記腕部１６は、貫通した空間部１７を備えた略筒状に形成され、該空間部１７内に前記連動部３７が軸線方向に配設されることを特徴とする。
【００１７】
このような扉の構造によれば、把手１０の腕部１６内に貫通配置される連動部３７が外部に表出することなく、機構部分を隠すことととなり、見栄えを低下させることがない。また、この連動部３７が腕部１６内に設けられることにより、変形などの不具合が生じにくい。
【００１８】
請求項５記載の扉の構造は、前記操作片２８には、前記把手１０の裏面から離脱する方向に付勢する付勢部材が備えられることを特徴とする。
【００１９】
このような扉の構造によれば、操作片２８は、把手１０の裏面において常に離脱方向に付勢されることとなり、操作片２８に対する操作を終え、握持状態を開放すれば、操作片２８は把手１０裏面から離れ、すなわち復帰状態へと戻ることが可能となる。
【００２０】
【発明の実施の形態】
図１に示すように、扉１は、吊元１ａとなる一側縁に、蝶番３などを介して建物開口部２の一方の縁部２ａ等に連結される。そして建物開口２に対して吊元１ａの蝶番３を中心として建物開口部２の一方側、例えば屋外側や廊下側などの隔てられた空間のいずれか側の方向に揺動し、開閉する。扉１の戸先１ｂには、錠機構部４が内蔵される。錠機構部４は、係合杆としてのラッチボルト５を具備し、後述するレバーハンドル１０が連結されている。ラッチボルト５は、戸先１ｂの木口１ｃに対して進退自在に設けられ、扉１が建物開口部２を閉鎖している際に、木口１ｃから突出した状態で、建物開口部２の他方の縁部２ｂに設けられるストライク板の係合穴６に嵌入する。そして、ラッチボルト５が係合穴６に嵌入し係合した状態では、扉１は閉鎖状態を保たれる。
なお、このラッチボルト５は、例えば閂状のラッチとして構成してもよく、可倒ラッチなどで構成されてもよい。
【００２１】
扉１の戸先１ｂ側の表裏両面には、把手としてのレバーハンドル１０が配設される。なお、以下に説明する本実施の形態では、扉１の一方の面１ｄである押して開放する側のレバーハンドル１０について説明し、引いて開放させる側である他方の面に配設されるレバーハンドルについては図示を省略しその詳述を行わない。
【００２２】
図１に示すように、扉１の一方の面１ｄ、すなわち、押すことで開放方向へと揺動させる操作の行われる扉の押される面１ｄにおける戸先１ｂ側には、レバーハンドル１０が配設される。
【００２３】
レバーハンドル１０は、図２に示すように、押圧部１１と連結腕部１４とが略直交した略Ｌ字状に形成される。
押圧部１１は、本実施の形態では、扉面１ｄと略平行となる矩形板状に形成される。押圧部１１には、扉面１ｄに対向する裏面に凹部１２が形成される。この凹部１２は、略矩形状に形成され、押圧部１１の裏面において周囲の端縁部分を突条形状とするように形成されており、レバーハンドル１０としての重量軽減を兼ねるとともに、後述する操作片２８の作動領域となる。また、この押圧部１１の先端縁部は、レバーハンドル１０としての揺動端となり、把持部１３とされる。
【００２４】
連結腕部１４は、押圧部１１の裏面における把持部１３と反対の側縁近傍に位置し、この裏面に直交して突出形成されるように設けられる。本実施の形態の連結腕部１４は、図２に示すように、押圧部１１裏面と一体に形成される略半割りパイプ状に形成され、把持部１３を向く面が凹溝部１４ａとされている。
また、この連結腕部１４には、押圧部１１の裏面に近接して軸受孔１５が穿設されている。
【００２５】
連結腕部１４には、腕部１６が連結固定される。この腕部１６は、本実施の形態では、図２に示すように、略円筒形状に形成され、軸線方向に貫通し、内部に空間部１７を有しており、この空間部１７内に、連結腕部１４が挿入され、すなわち連結腕部１４に対して腕部１６が外装されてネジなどの固定手段１８にて互いが固定される。
腕部１６の先端１６ａには、略矩形板状の一対の支持片２０，２０が突設されている。各支持片２０，２０には、貫通し、互いに連通した軸穴１９が穿設されている。これら支持片２０，２０は、後述するベース板２１が固定される。
【００２６】
また、腕部１６の基端側開口縁には、後述する操作片２８の基端側を挿通状態とする切欠部１７ａが形成されている。
そして、押圧部１１裏面に、連結腕部１４を介して腕部１６が固定され、さらにこの腕部先端１６ａにベース板２１が固定される。
【００２７】
ベース板２１は、図２に示すように、略矩形板状に形成されるとともに、板面に対し直交する固定片２２が両側縁に突設されている。各固定片２２には、上記した支持片２０，２０の軸穴１９に対応する取付穴２３が穿設されている。また、ベース板２１の略中央には、後述する作動片３３が貫通するスリット穴２４が穿設されている。
そして、このベース板２１の各固定片２２の間には腕部１６の各支持片２０が位置し、これら固定片２２と支持片２０とを支持軸２５が貫通し、互いが連結される。
【００２８】
また、ベース板２１は、一側面が開口した略円形箱状の台座２６の裏面に固定される。台座２６は、略中央に貫通穴２７が形成されている。なお、台座２６は、扉面１ｄ、或いは扉内部に配設される錠機構部４を構成する錠箱に固定される。また、ベース板２１と台座２６、及び台座２６と扉面１ｄ（錠機構部４）との固定は、ネジやボルトなどの固定手段が用いられる。
【００２９】
そして、ベース板２１に連結される腕部１６が貫通穴２７を貫通し、腕部先端１６ａの各支持片２０，２０が台座２６に覆われるように台座２６内に位置し、すなわち、台座２６に対して腕部１６が略垂直に延出して固定され、レバーハンドル１０が設けられることとなり、このレバーハンドル１０が、扉１に対して揺動などの動きのない固定状態となる。本実施の形態では、台座２６から延出する腕部１６及び押圧部１１が、図１に示すように、押圧部１１の板面が扉面１ｄと略平行となり、この押圧部１１が腕部１６から吊元１ａに向いて延出している。
【００３０】
次に、操作片２８は、レバーハンドル１０の押圧部１１裏面に配設され、図２に示すように、上述した押圧部１１裏面の凹部１２の内寸法に対応した略矩形板状の部材とされ、この凹部１２に対し、押圧部１１の厚み方向に進退自在とされる。本実施の形態では、やや厚みを持つ板状に形成されている。
【００３１】
また、この操作片２８の腕部１６に近接する基端側には、連動部３７を構成する揺動腕２９が設けられている。この揺動腕２９は、図２に示すように、操作片２８の板面に対して略直交して延出している。揺動腕２９の基端には、レバーハンドル１０の連結腕部１４に穿設された軸受孔１５に対応する貫通孔３０が穿設されている。また、揺動腕２９の先端側には、後述する連動杆３６と係合する凹溝状の押圧部３１が形成されている。
【００３２】
そして、揺動腕２９は、連結腕部１４の凹溝部１４ａに嵌入されるとともに貫通孔３０と軸受孔１５とを貫通する揺動軸３２にて連結され、レバーハンドル１０に対して揺動自在とされる。また、操作片２８の揺動腕２９は、レバーハンドル１０に揺動軸３２にて取り付けられた状態で、連結腕部１４とともに、腕部１６の空間部１７内に配置される。すなわち、腕部１６の空間部１７内にて、レバーハンドル１０の揺動操作によって、揺動腕２９が揺動される。
【００３３】
次に、作動片３３は、腕部１６の先端１６ａに設けられる。この作動片３３は、後述する連動杆３６と一体に構成され、軸孔３４が穿設されるととともに、先端３３ａが短冊板状に形成されて延出している。本実施の形態では、図２に示すように、作動片３３の先端部分は、中途が屈曲形成されている。そして、この作動片３３は、軸孔３４が、上記した腕部先端１６ａの支持片２０，２０に穿設された軸穴１９と対応するとともに、ベース板２１に穿設された取付穴２３に対応し、支持軸２５にて揺動自在に取り付けられる。また、先端がベース板２１のスリット穴２４を貫通してベース板２１裏面に延出するようになっている。
【００３４】
そして、作動片３３は、ベース板２１を貫通して延出する先端が戸先１ｂに内蔵される錠機構部４内に位置するようになっている。この作動片３３は、錠機構部４内にて、ラッチボルト５の進退動作を行う機構に係合するようになっている。なお、図１及び図３には、その機構の一部である従動部３５を示している。
【００３５】
次に、連動杆３６は、上記した揺動腕２９とともに連動部３７を構成し、作動片３３と一体に形成される。この連動杆３６は、図２に示すように、略コ字状に折曲形成され、軸孔３４の軸線と平行となる当接面３８を備えている。
そして、この連動杆３６は、腕部１６の空間部１７内に位置され、操作片２９の押圧部３１に対向し当接状態とされる。
【００３６】
なお、図２に示すように、支持軸２５には、捩じりコイルバネなどの付勢部材３９が巻装され、この捩じりコイルバネ３９の一端がベース板２１と係合し、他端が腕部１６内にて連動杆３６に係合して、図３に示すように、これらベース板２１と連動杆３６との間に位置しており、通常の状態で連動杆３６をベース板２１に対して略直交となる状態を維持するように付勢力を有している。
【００３７】
次に、上記のように構成された扉の構造の操作について説明する。
扉１が建物開口２を閉塞した状態では、図１に示すように、錠機構部４のラッチボルト５先端が突出しており、係合穴６に進入し、扉１の閉塞状態が保たれる。
【００３８】
また、この閉塞状態においては、図３に示すように、押圧部１１の把持部１３裏面に位置している操作片２８が、コイルバネ３９の付勢力により、連動部３７である揺動腕２９と連動杆３６とを介して押圧部１１裏面から離間し凹部１２より突出している。なお、この状態では、作動片３３の先端３３ａは、錠機構部４の従動部３５に接触している状態となっている。
【００３９】
この扉１を開放するには、まず、レバーハンドル１０の把持部１３側を、開放しようとする操作者が握持する。把持部１３側を掴むことで、この把持部１３の裏面に位置する操作片２８は、押圧部１１に対する押圧方向とは反対の引く方向の操作となる。この操作によりコイルバネ３９の付勢力に抗して、操作片２８は、揺動軸３２を中心に揺動し、押圧部１１裏面の凹部１２内に進入する。
【００４０】
図４に示すように、操作片２８の凹部１２内への進入とともに、揺動腕２９が揺動する。これにより、揺動腕２９は、押圧部３１にて連動杆３６をコイルバネ３９の付勢力に抗して押圧させる。
【００４１】
そして、この連動杆３６と一体の作動片３３が、支持軸２５を中心に揺動し、これにより、図４に示すように作動片３３は従動部３５を押圧し、この従動部３５に連動連結されるラッチボルト５が後退となる。すなわち、扉１はラッチボルト５による係止維持状態を解かれる。
【００４２】
係止状態を解かれた扉１は、レバーハンドル１０を掴み持った状態で、レバーハンドル１０に対して操作者が正面から押圧力を加えることで、これが扉の開放操作となり、開放方向へと吊元１ａの蝶番３を中心として揺動する。
そして、そのまま扉１を開放方向に押すことにより、扉１が開放となる。
【００４３】
従って、このように構成された扉の構造によれば、押すことで開放する扉１に対する開放操作において、レバーハンドル１０に、操作片２８を設け、この操作片２８をレバーハンドル１０の把持部１３を握持することで操作し、錠機構部４内の従動部３５に直接操作力が伝わる作動片３３を揺動させることで、扉の開放操作を行えるように構成したので、扉１に対する「押す」という開放操作に、操作片２８を「掴み持つ」という前段操作を必要とすることから、開放方向への扉１の急激な開放が抑止され、扉１の向こう側にいる人に扉１を衝突させるような事故等、扉１を勢いよく開放してしまうことで発生する事故を未然に防ぐことが可能となる。
【００４４】
なお、上述した実施の形態では、レバーハンドル１０における押圧される部分である押圧部１１を略矩形板状とした例について説明したが、レバーハンドル１０としての形状については、これに限定されるものではなく、円形や楕円形、多角形など、その他の形状としてもよく、また、板状ではなく、例えば枠状に形成されることとしても良く、揺動先端側を把持部１３とする形状であれば上記形状に限定されるものではない。
また、レバーハンドル１０を構成する腕部１６の形状についても、上記実施の形態における形状に限定されるものではない。
【００４５】
さらに、上述した実施の形態では、レバーハンドル１０の揺動先端である把持部１３の腕部１６に対する向きが、扉１の戸先１ｂから吊元１ａに向くよう構成した例について説明したが、このレバーハンドル１０の扉１への取り付け状態については、腕部１６に対する把持部１３の延出方向が吊元１ａから戸先１ｂ側として構成されてもよく、また、その他の方向とされて構成されていても、上記同様の作用効果を得ることができる。
【００４６】
また、上述した実施の形態では、連動部３７を、揺動腕２９と連動杆３６とで構成し、揺動腕２９の揺動を連動杆３６を押動する互いが当接状態とされる機構とした例について述べたが、互いを連結する構成、例えばリンク機構などで構成しても良い。
【００４７】
さらに、上述した実施の形態では、連動部３７における連動杆３６及び作動片３３に捩じりコイルバネ３９を設け、作動片３３の位置維持と操作片２８の復帰方向への付勢力を備えた構成としたが、操作片２８に付勢部材を設け、操作片２８がレバーハンドル１０に対して離脱する方向に付勢力を備えた構成としても良い。この場合、例えば、操作片２８とレバーハンドル１０の押圧部１１裏面との空間に、コイルバネなどを介設し、この押圧部１１に対して操作片２８が離れる方向に付勢力を有した構成とする。
【００４８】
また、上述した実施の形態では、扉１の押される面に配設する構成として述べたが、扉１を引いて開放する面に配設しても良い。この場合、操作片２８の操作が、扉を開く方向と同方向であり、また、レバーハンドル１０が揺動しないことから、扉の開放操作を容易なものとすることとなる。
【００４９】
【発明の効果】
以上説明したように本発明による請求項１記載の扉の構造によれば、開閉自在な扉に対する開放操作において、その操作を行うための把手に、操作片を設け、この操作片とともに把手を握持することで開放操作とされる。この操作片の操作により、連動部を介して作動片が錠機構部内に直接操作力を伝えることとなり、すなわち、扉に対する把手による開放操作に、操作片を掴み持つ前段操作を必要とすることから、開放方向への扉の急激な開放が抑止される。
【００５０】
請求項２記載の扉の構造によれば、押すことで開放する扉に対する開放操作において、その操作を行うための把手に、操作片を設け、この操作片とともに把手を握持することで開放の操作とされる。この操作片の操作により、連動部を介して作動片が錠機構部内に直接操作力を伝えることとなり、すなわち、扉に対する「押す」という開放操作に、操作片を「掴み持つ」という前段操作を必要とすることから、開放方向への扉の急激な開放が抑止され、扉の向こう側にいる人に扉を衝突させるような事故等、扉を勢いよく開放してしまうことで発生する事故を未然に防ぐことが可能となる。
【００５１】
請求項３記載の扉の構造によれば、把手の形状を略板状としたので、例えば押す方向が開放方向となる扉である場合などでは、把手の正面側から面を押圧することが可能となり、扉の開放を行いやすくすることができ、また、操作片とともに掴み持つ際に、板状の縁部分を掴むこととなり、把手として掴む操作に操作片の操作が違和感なく行われることとなる。
【００５２】
請求項４記載の扉の構造によれば、把手の腕部の空間部内に貫通配置される連動部が外部に表出することなく、機構部分を隠すことととなり、見栄えを低下させることがない。また、この連動部が腕部内に設けられることにより、破損や変形などの不具合が生じにくい。
【００５３】
請求項５記載の扉の構造によれば、操作片は、把手の裏面において付勢部材によって常に離脱方向に付勢されることとなり、操作片に対する操作を終え、握持状態を開放すれば、操作片は把手裏面から離れ、すなわち復帰状態へと戻ることが可能となる。
【図面の簡単な説明】
【図１】本発明による扉の構造一実施の形態を示す平断面図である。
【図２】同扉の構造における要部の分解斜視図である。
【図３】同扉の構造における動作を説明する平断面図である。
【図４】同扉の構造における動作を説明する平断面図である。
【符号の説明】
１…扉
１ｄ…扉面
４…錠機構部
５…係合杆（ラッチボルト）
１０…把手（レバーハンドル）
１３…把持部
１６…腕部
１７…空間部
２８…操作片
３３…作動片
３７…連動部
【図１】
2004107892.tif 000003
【図２】
2004107892.tif 000004
【図３】
2004107892.tif 000005
【図４】
2004107892.tif 000006